(57)【要約】      （修正有）【課題】使用済みシートの剥がし取りが非常に簡単で、使用時にシート材の切れ目にゴミ詰まりが発生して不衛生感を生じることもない掃除用粘着ロールを提供する。【解決手段】所要幅の帯状をなす長尺の粘着シートを等角度に同方向へ斜め切りして作製された粘着シート片２・２…を、この粘着シート片２と同幅のロール芯１に当該シート片２の各斜辺部２３が実質的に重ならないようにロール状に巻き付け積層し、この積層された粘着シート片２・２…における上層に位置するシート片２の斜辺部２３と、当該上層粘着シート片２の直下層の粘着シート片２’の斜辺部との巻き付き位置を離間させた。【選択図】図１
0003145978.tif 000002
【実用新案登録請求の範囲】
【請求項１】
所要幅の帯状をなす長尺の粘着シートを等角度に同方向へ斜め切りして作製された粘着シート片２・２…が、この粘着シート片２と同幅のロール芯１に当該シート片２の各斜辺部23が実質的に重ならないようにロール状に巻き付け積層され、この積層された粘着シート片２・２…における上層に位置するシート片２の斜辺部23と、当該上層粘着シート片２の直下層の粘着シート片２’の斜辺部23’との巻き付き位置が離間していることを特徴とする掃除用粘着シートロール。
【請求項２】
粘着シート片２をその全長がロール芯１の円周長の２倍以上となるように作製して、ロール円周面上で粘着シート片２の斜辺部23・23がスパイラル・ラインＬを作出せしめることで、粘着シート片２を前記スパイラル・ラインＬに沿ってシートロールＲを複数回転させながら容易に引出し可能としたことを特徴とする請求項１記載の掃除用粘着シートロール。
【考案の詳細な説明】
【技術分野】
【０００１】
本考案は、掃除用粘着シートロールの改良、更に詳しくは、使用済みシートの剥がし取りが非常に簡単で、シート材の切れ目にゴミ等が詰まって不衛生感を生じない掃除用粘着シートロールに関するものである。
【背景技術】
【０００２】
周知のとおり、室内や車内に落ちているお菓子の食べ滓やペットの毛などを掃除する際にローラー式の粘着クリーナーを使用することが多く、このような粘着クリーナーの構造としては、ローラーの先端部に専用の粘着ロールを装着したものが一般的である。
【０００３】
そして、粘着クリーナーで使用する粘着ロールに関しては、掃除で使用するに従い粘着面にゴミが付着して粘着力が次第に低下してしまうため、充分な粘着機能が得られなくなったときには使用済みの粘着シートを剥がし取って新しい粘着シートを外周面に出す必要がある。
【０００４】
ところが、ロール軸方向の切込み線が入った従来の粘着ロールでは、粘着シートを剥がし取る際、まず下層側の粘着シートに張り付いたシート端部の角部を摘み出す作業が必要であったが、ロール軸に沿ったシート端部では角部の折返しに対する復元性が高く、爪を入れて一旦捲り上げても指で摘む前に角部が元の状態に戻ってしまい易かったため、摘み出せるまで何度も角部を捲り上げなければならないことがあり、非常に面倒であった。
【０００５】
また更に、粘着シートを剥がすときにも、摘み出したシート端部の角部を持って引っ張ると剥離したシートに不均等な負荷が急にかかることでシートに皺が寄って上手く引き出せないこともよくあり、さらにこの状態から強引に引っ張って粘着シートが破れてしまうこともあった。
【０００６】
そこで、従来においては、＜特許文献１＞にあるように、粘着ロールの切込み線の向きをロール軸方向から円周方向に傾けることで、粘着シートの摘み出し作業や引出し作業に伴う問題を解消する技術も提案されていた。
【０００７】
しかしながら、上記＜文献１＞に係る粘着ロールでは、粘着シートをロール芯に巻着した後に、外表面からロール芯まで押圧カッターを食い込ませて切込み線を一挙に形成していたことから、切込み線の部位が深い溝状となり、この溝にローラーで転がした際ゴミが詰まって粘着ロールの外観が汚らしく不衛生な感じになり易かった。
【特許文献１】特開平８−６６３５０号公報（第１−５頁、第１−２図）
【考案の開示】
【考案が解決しようとする課題】
【０００８】
本考案は、上記の如き問題に鑑みて為されたものであり、その目的とするところは、使用済みシートの剥がし取りが非常に簡単で、かつ、使用時にシート材の切れ目にゴミ詰まりが発生して不衛生感を生じることもない掃除用粘着ロールを提供することにある。
【課題を解決するための手段】
【０００９】
本考案者が上記課題を解決するために採用した手段を添付図面を参照して説明すれば次のとおりである。
【００１０】
即ち、本考案は、所要幅の帯状をなす長尺の粘着シートを等角度に同方向へ斜め切りして作製された粘着シート片２・２…を、この粘着シート片２と同幅のロール芯１に当該シート片２の各斜辺部23が実質的に重ならないようにロール状に巻き付け積層し、この積層された粘着シート片２・２…における上層に位置するシート片２の斜辺部23と、当該上層粘着シート片２の直下層の粘着シート片２’の斜辺部23’との巻き付き位置を離間させた点に特徴がある。
【００１１】
また、本考案においては、上記課題を解決するために、必要に応じて上記手段に加え、粘着シート片２をその全長がロール芯１の円周長の２倍以上となるように作製して、ロール円周面上で粘着シート片２の斜辺部23・23がスパイラル・ラインＬを作出せしめることで、粘着シート片２を前記スパイラル・ラインＬに沿ってシートロールＲを複数回転させながら容易に引出し可能とするという技術的手段を採用することができる。
【考案の効果】
【００１２】
本考案においては、粘着シートを斜め切りして平行四辺形状に作製した略同サイズの粘着シート片を、ロール芯に巻き付け積層して構成したことにより、シート片の斜辺部と側辺部によって形成される一方側の角部が復元力の働き難い鋭角となるため、この鋭角の角部を爪などで引っ掛けて捲り上げれば簡単に粘着シートの摘み出しを行うことが可能となる。
【００１３】
さらに、摘み出した角部を持ってシート片を引き出す際にも、他方の角部に向かう斜辺部に沿ってシート片の幅を次第に拡げながら引き出すことができるため、剥離したシート片に急に不均等な負荷がかかって皺が寄ってしまうようなことはなく、シート片の剥がし取り作業をスムーズに行うことができる。
【００１４】
しかも本考案では、粘着シート片をロール芯にシート片の各斜辺部が重ならないようにロール状に巻き付けるものの、上層に位置するシート片の斜辺部と、直下層の粘着シート片の斜辺部との巻き付き位置を離間させているため、シート片の切れ目が重なって深い溝状となることはなく、使用時にゴミ詰まる心配もない。
【００１５】
したがって、本考案により、使用済みシートの剥がし取りが簡単で使い勝手が非常に良く、使用中にゴミが詰まって不衛生な外観となることもない掃除用粘着ロールを提供することができることから、本考案の実用的利用価値は頗る高い。
【考案を実施するための最良の形態】
【００１６】
『実施例１』
本考案の実施例１は、図１から図４に示される。同図において、符号１で指示するものは、ロール芯であり、符号２で指示するものは、粘着シート片である。
【００１７】
次に、実施例１の構成を以下から説明する。実施例１では、円筒状のロール芯１に対して、紙基材の表面側に粘着層21を備え、かつ、裏面側には不粘着性の剥離層22を備えた粘着シート片２を巻き付け積層してシートロールＲを作製している（図１参照）。
【００１８】
そして、ロール芯１に積層する粘着シート片２・２…は、所要幅の帯状をなす長尺の粘着シートを等角度に同方向へ斜め切りして斜辺部23・23を有する平行四辺形状に作製しており、また粘着シート片２のサイズとしては巻き付けるロール一周を覆う大きさとしている。
【００１９】
具体的には、図２で示すように粘着シート片２の側辺部24・24の長さＸがロール芯１の円周長と略同じで、粘着シート片２の横幅Ｙがロール芯１の幅と略同じとなるサイズで作製している。
【００２０】
なお、粘着シート片２のサイズに関しては、外側に巻くほどシートロールＲの円周長が大きくなって斜辺部23・23間の切れ目が広がってしまうことから、外側に巻くシート片２については側辺部24・24の長さを次第に大きくして切れ目の幅を調節するのが好ましい。
【００２１】
そして上記のように構成したことにより、粘着シート片２の斜辺部23と側辺部24によって形成される一方側の角部Ｃが鋭角となり、この鋭角の角部Ｃを爪などで捲り上げることで容易に摘み出しを行うことが可能となる。
【００２２】
さらに、この摘み出した角部Ｃを持って粘着シート片２を引き出す際にも、他方の角部に向かう斜辺部23に沿って粘着シート片２の幅を拡げながら引き出せるため、剥離したシート片２に急に不均等な負荷がかかることはなく、円滑に粘着シート片２の剥がし取りを行うことができる。
【００２３】
特に実施例１では、粘着シート片２の全長Ｚを、ロール芯１の円周長と同じ側辺部24の長さの２倍以上となるようにして、円周面上でシート片２の斜辺部23・23がスパイラル・ラインＬを作出せしめるようにしているため、粘着シート片２をスパイラル・ラインＬに沿ってシートロールＲを複数回転させながら引き出すことでき、これにより引き出す際にシート片２にかかる負荷をより軽減することが可能となる。
【００２４】
また、粘着シート片２・２…は、ロール芯１にシート片２の各斜辺部23が実質的に重ならないようにロール状に巻き付けており、積層した粘着シート片２・２…における上層に位置するシート片２(２’)の斜辺部23(23’)と、上層粘着シート片２(２’)の直下層の粘着シート片２’(２”)の斜辺部23’(23”)との巻き付き位置を離間させている（図３参照）。
【００２５】
これにより、図４で示すようにロール芯１上に積層した粘着シート片２の切れ目部分(Ｌ・Ｌ’・Ｌ”…)が重なって深い溝状となることはないため、使用時にゴミが詰まって粘着ロールＲが不衛生感を引き起こす心配もない。
【００２６】
本考案は、概ね上記のように構成されるが、本考案は図示の実施形態に限定されるものでは決してなく、「実用新案登録請求の範囲」の記載内において種々の変更が可能であって、例えば、粘着シート片２は、斜辺部23・23を有する平行四辺形状であれば図５(a)に示すような比較的鋭角の大きい形状や図５(b)に示すような比較的鋭角の小さい形状に任意に変更することが可能である。
【００２７】
また、粘着シート材２の基材には、切込み線をカッターで後入れしたり、切り取り線を設けたりする必要がないため、剪断が容易な紙材以外にも強度が高い樹脂シート材などを採用することもでき、何れのものも本考案の技術的範囲に属する。
【産業上の利用可能性】
【００２８】
近年では、塵(ダニ)アレルギー対策や室内ペットの抜け毛の処理を目的として、室内をこまめに掃除する人が増えたことにより、使い勝手が良く小さなゴミも簡単に除去することができる粘着クリーナーの人気は非常に高い。
【００２９】
そのような中で、本考案の掃除用粘着シートロールは、粘着クリーナーの使用に伴う粘着シートの剥がし取りを容易化できる有用な技術であることから、市場における需要は大きく、その産業上の利用価値は非常に高い。
【図面の簡単な説明】
【００３０】
【図１】本考案の実施例１における粘着シートロールを表わす全体斜視図である。
【図２】本考案の実施例１における粘着シート片を表わす全体上面図である。
【図３】本考案の実施例１における粘着シートロールにおける積層面を表わす部分拡大図である。
【図４】本考案の実施例１における粘着シート片の巻き付け状態を表わす状態説明図である。
【図５】本考案の変形例における粘着シート片を表わす全体上面図である。
【符号の説明】
【００３１】
１  ロール芯
２  粘着シート片
21  粘着層
22  剥離層
23  斜辺部
24  側辺部
Ｒ  シートロール
Ｌ  スパイラル・ライン
Ｘ  側辺部の長さ
Ｙ  シート片の幅
Ｚ  シート片の全長
Ｃ  鋭角側角部
【図１】
0003145978.tif 000003
【図２】
0003145978.tif 000004
【図３】
0003145978.tif 000005
【図４】
0003145978.tif 000006
【図５】
0003145978.tif 000007